(57)【要約】【課題】不必要なハンドオーバ制御を削減しつつ、ハンドオーバの遅れを発生させないことを可能とする。【解決手段】本発明に係る移動局ＵＥは、測定部１３によって測定されたサービングセル及び周辺セルにおける無線品質、及び、パラメータ取得部１２によって取得されたパラメータに基づいて、測定結果を通知すべきか否かについて判定するように構成されている判定部１４と、判定部１４によって測定結果を送信すべきであると判定された場合、かかる測定結果を無線基地局ｅＮＢに対して通知するように構成されている通知部１５とを具備し、移動局ＵＥがサービングセルと通信を開始してから第１所定期間以上経過した場合にのみ、判定部１４は、測定結果を通知すべきか否かについて判定するように構成されている。【選択図】図４
2011049867.tif 000002
【特許請求の範囲】
【請求項１】
無線基地局と通信する移動局であって、
前記無線基地局から、パラメータを取得するように構成されているパラメータ取得部と、
前記移動局のサービングセル及び周辺セルにおける無線品質を測定するように構成されている測定部と、
前記測定部によって測定された前記サービングセル及び周辺セルにおける無線品質、及び、前記パラメータ取得部によって取得された前記パラメータに基づいて、前記測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記移動局が、前記サービングセルと通信を開始してから第１所定期間以上経過した場合にのみ、前記判定部は、前記測定結果を通知すべきか否かについて判定するように構成されていることを特徴とする移動局。
【請求項２】
前記判定部は、前記移動局が前記サービングセルと通信を開始してから前記第１所定期間以上経過した場合で、かつ、第２所定期間以上継続して所定条件が満たされている場合にのみ、前記測定結果を通知すべきであると判定するように構成されており、
前記パラメータ取得部は、前記パラメータとして、前記第２所定期間を示す第１パラメータを取得するように構成されていることを特徴とする請求項１に記載の移動局。
【請求項３】
前記測定部は、前記移動局が前記サービングセルと通信を開始してから第３所定期間以上経過した場合に、該移動局のサービングセル及び周辺セルにおける無線品質の測定を開始すべきであると判定するように構成されており、
前記パラメータ取得部は、前記パラメータとして、前記第３所定期間を示す第２パラメータを取得するように構成されていることを特徴とする請求項１又は２に記載の移動局。
【請求項４】
移動局と通信する無線基地局であって、
前記移動局によって通知された該移動局のサービングセル及び周辺セルにおける無線品質の測定結果に基づいて、該移動局がハンドオーバすべきであるか否かについて判定するように構成されている判定部とを具備し、
前記判定部は、前記移動局が前記サービングセルと通信を開始してから第４所定期間以上経過している場合にのみ、該移動局がハンドオーバすべきであるか否かについて判定するように構成されていることを特徴とする無線基地局。
【請求項５】
無線基地局と移動局とが通信するように構成されている移動通信システムであって、
前記移動局は、
前記無線基地局から、パラメータを取得するように構成されているパラメータ取得部と、
前記移動局のサービングセル及び周辺セルにおける無線品質を測定するように構成されている測定部と、
前記測定部によって測定された前記サービングセル及び周辺セルにおける無線品質、及び、前記パラメータ取得部によって取得された前記パラメータに基づいて、前記測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記無線基地局は、
前記移動局に対して、前記パラメータを通知するように構成されているパラメータ通知部と、
前記移動局によって通知された該移動局のサービングセル及び周辺セルにおける無線品質の測定結果に基づいて、該移動局がハンドオーバすべきであるか否かについて判定するように構成されている判定部とを具備しており、
前記移動局が前記サービングセルと通信を開始してから第１所定期間以上経過した場合にのみ、該移動局の前記判定部は、前記測定結果を通知すべきか否かについて判定するように構成されていることを特徴とする移動通信システム。
【請求項６】
前記無線基地局の判定部は、前記移動局が前記サービングセルと通信を開始してから第４所定期間以上経過している場合にのみ、該移動局がハンドオーバすべきであるか否かについて判定するように構成されていることを特徴とする請求項５に記載の移動通信システム。
【請求項７】
無線基地局と移動局との間で通信する移動通信方法であって、
前記無線基地局が、前記移動局に対して、パラメータを通知する工程Ａと、
前記移動局が、該移動局のサービングセル及び周辺セルにおける無線品質を測定する工程Ｂと、
前記移動局が、前記工程Ｂにおいて測定された前記サービングセル及び周辺セルにおける無線品質、及び、前記工程Ａにおいて通知された前記パラメータに基づいて、前記測定結果を通知すべきか否かについて判定する工程Ｃと、
前記移動局が、前記測定結果を送信すべきであると判定された場合、該測定結果を前記無線基地局に対して通知する工程Ｄとを有し、
前記工程Ｃにおいて、前記移動局は、該移動局が該サービングセルと通信を開始してから第１所定期間以上経過した場合にのみ、前記測定結果を通知すべきか否かについて判定することを特徴とする移動通信方法。
【請求項８】
前記無線基地局が、前記移動局によって通知された該移動局のサービングセル及び周辺セルにおける無線品質の測定結果に基づいて、該移動局がハンドオーバすべきであるか否かについて判定する工程Ｅを更に有し、
前記工程Ｅにおいて、前記無線基地局は、前記移動局が前記サービングセルと通信を開始してから第４所定期間以上経過している場合にのみ、該移動局がハンドオーバすべきであるか否かについて判定することを特徴とする請求項７に記載の移動通信方法。
【発明の詳細な説明】
【技術分野】
【０００１】
本発明は、移動局、無線基地局、移動通信システム及び移動通信方法に関する。
【背景技術】
【０００２】
複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００３】
一般的に、移動通信システムでは、移動局ＵＥが、隣接セルに移動し、かかる移動局ＵＥにおいて、隣接セルからの信号の受信電力が、サービングセル（Ｓｅｒｖｉｎｇ  Ｃｅｌｌ）からの信号の受信電力よりも強くなった場合に、かかる移動局ＵＥは、隣接セルにハンドオーバを行うように構成されている。
【０００４】
なお、上述の隣接セルからの信号の受信電力又はサービングセルからの信号の受信電力は、例えば、隣接セル又はサービングセルから送信される下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献１を参照のこと）。
【０００５】
図７及び図８を参照して、かかるハンドオーバ手順の一例について、具体的に説明する。
【０００６】
図７に示すように、ステップＳ１において、移動局ＵＥは、隣接セルからの信号の受信電力を測定する。
【０００７】
ステップＳ２において、移動局ＵＥは、隣接セルからの信号の受信電力が、以下の（式１）を満たすか否かについて判定する。
【０００８】
隣接セルからの信号の受信電力  ＋  ヒステリシス  ＞  サービングセルからの信号の受信電力  …  （式１）
かかる（式１）が満たされていると判定された場合、ステップＳ２において、移動局ＵＥは、上述の測定結果を報告するためのイベントＡ３を、ネットワークに対して通知する。
【０００９】
具体的には、移動局ＵＥは、図８に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１０】
つまり、図８において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  Ｒｅｐｏｒｔ）を通知するべきであると判定する。
【００１１】
ここで、信号の受信電力（無線品質）Ｆｎとしては、以下の（式２）及び（式３）によって算出された値が用いられるものとする。具体的には、移動局ＵＥにおいて、上位レイヤが、物理レイヤによる測定値に対して、（式２）に示すフィルタリング処理（Ｌ３  Ｆｉｌｔｅｒｉｎｇ）を行うように構成されている。
【００１２】
Ｆｎ  ＝  （１−ａ）・Ｆｎ−１  ＋  ａ・Ｍｎ  …  （式２）
ａ  ＝  １／２（ｋ/４）  …  （式３）
なお、（式３）における「ｋ」の値は、「ヒステリシス」や「ＴＴＴ」と同様に、無線基地局から移動局ＵＥに対して事前に通知されているものとする。また、「ヒステリシス」は、セル境界でサービングセルから隣接セルへのハンドオーバが頻繁に生じないために設けられる値であり、正の値でもよく、負の値でもよい。
【００１３】
また、ステップＳ３において、ネットワークは、イベントＡ３の通知を受信すると、かかる移動局ＵＥが、受信したイベントＡ３に係るセルに対してハンドオーバすべきであることを決定する。
【００１４】
また、ネットワークはハンドオーバすべきであると決定すると、移動局ＵＥに対してハンドオーバすべきセルの情報を指示する。その後、移動局ＵＥは該セルにハンドオーバ後、ハンドオーバが完了した旨、ネットワークに通知する。
【先行技術文献】
【非特許文献】
【００１５】
【非特許文献１】３ＧＰＰ  ＴＳ３６.２１４、Ｖ８.５.０
【発明の概要】
【発明が解決しようとする課題】
【００１６】
上述したように、移動通信システムにおいては、無線基地局ｅＮＢと移動局ＵＥとが接続中である場合に、ハンドオーバ制御が適用される。
【００１７】
ここで、移動局ＵＥは、予め通知されたパラメータに基づいて、測定されたサービングセル及び周辺セルにおける受信電力と判定条件閾値とを比較して、ネットワークに対して測定結果を通知すべきであるか否かについて判定する。
【００１８】
言い換えれば、移動局ＵＥは、ハンドオーバにより、サービングセルが変更になった直後であっても、再度、測定結果を通知すべきであると判定した場合、再度、ネットワークに対して測定結果を通知することになる。
【００１９】
しかしながら、これは、判定条件におけるパラメータが小さいことに起因するが、サービングセルと周辺セルとの境界に移動局ＵＥが位置している場合は、不必要にハンドオーバ制御を実施してしまうことになる。ここで、前記判定条件におけるパラメータとは、例えば、ヒステリシスやＴＴＴである。
【００２０】
また、上述の判定条件におけるパラメータを大きくした場合、上述の不要なハンドオーバ制御は減らすことができるが、特に、高速移動時には、測定結果の通知が適当なタイミングで行われないことになり、その結果、ハンドオーバが遅延し、適切な制御が行われないという問題がある。
【００２１】
そこで、本発明は、上述の課題に鑑みてなされたものであり、不必要なハンドオーバ制御を削減しつつ、ハンドオーバの遅れを発生させないことを可能とする移動局、無線基地局、移動通信システム及び移動通信方法を提供することを目的とする。
【課題を解決するための手段】
【００２２】
本発明の第１の特徴は、無線基地局と通信する移動局であって、前記無線基地局から、パラメータを取得するように構成されているパラメータ取得部と、前記移動局のサービングセル及び周辺セルにおける無線品質を測定するように構成されている測定部と、前記測定部によって測定された前記サービングセル及び周辺セルにおける無線品質、及び、前記パラメータ取得部によって取得された前記パラメータに基づいて、前記測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記移動局が、前記サービングセルと通信を開始してから第１所定期間以上経過した場合にのみ、前記判定部は、前記測定結果を通知すべきか否かについて判定するように構成されていることを要旨とする。
【００２３】
本発明の第２の特徴は、移動局と通信する無線基地局であって、前記移動局によって通知された該移動局のサービングセル及び周辺セルにおける無線品質の測定結果に基づいて、該移動局がハンドオーバすべきであるか否かについて判定するように構成されている判定部とを具備し、前記判定部は、前記移動局に対する前記サービングセルと通信を開始してから第４所定期間以上経過している場合にのみ、該移動局がハンドオーバすべきであるか否かについて判定するように構成されていることを要旨とする。
【００２４】
本発明の第３の特徴は、無線基地局と移動局とが通信するように構成されている移動通信システムであって、前記移動局は、前記無線基地局から、パラメータを取得するように構成されているパラメータ取得部と、前記移動局のサービングセル及び周辺セルにおける無線品質を測定するように構成されている測定部と、  前記測定部によって測定された前記サービングセル及び周辺セルにおける無線品質、及び、前記パラメータ取得部によって取得された前記パラメータに基づいて、前記測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記無線基地局は、前記移動局に対して、前記パラメータを通知するように構成されているパラメータ通知部と、前記移動局によって通知された該移動局のサービングセル及び周辺セルにおける無線品質の測定結果に基づいて、該移動局がハンドオーバすべきであるか否かについて判定するように構成されている判定部とを具備しており、前記移動局が前記サービングセルと通信を開始してから第１所定期間以上経過した場合にのみ、該移動局の前記判定部は、前記測定結果を通知すべきか否かについて判定するように構成されていることを要旨とする。
【００２５】
本発明の第４の特徴は、無線基地局と移動局との間で通信する移動通信方法であって、前記無線基地局が、前記移動局に対して、パラメータを通知する工程Ａと、前記移動局が、該移動局のサービングセル及び周辺セルにおける無線品質を測定する工程Ｂと、前記移動局が、前記工程Ｂにおいて測定された前記サービングセル及び周辺セルにおける無線品質、及び、前記工程Ａにおいて通知された前記パラメータに基づいて、前記測定結果を通知すべきか否かについて判定する工程Ｃと、前記移動局が、前記測定結果を送信すべきであると判定された場合、該測定結果を前記無線基地局に対して通知する工程Ｄとを有し、前記工程Ｃにおいて、前記移動局は、該移動局が該サービングセルと通信を開始してから第１所定期間以上経過した場合にのみ、前記測定結果を通知すべきか否かについて判定することを要旨とする。
【発明の効果】
【００２６】
以上説明したように、本発明によれば、不必要なハンドオーバ制御を削減しつつ、ハンドオーバの遅れを発生させないことを可能とする移動局、無線基地局、移動通信システム及び移動通信方法を提供することができる。
【図面の簡単な説明】
【００２７】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動局の動作を示すフローチャートである。
【図５】本発明の変更例１に係る移動局の動作を示すフローチャートである。
【図６】本発明の変更例２に係る無線基地局の動作を示すフローチャートである。
【図７】一般的なハンドオーバの動作を示すフローチャートである。
【図８】一般的な測定報告の通知方法について説明するための図である。
【発明を実施するための形態】
【００２８】
（本発明の第１の実施形態に係る移動通信システムの構成）
図１乃至図３を参照して、本発明の第１の実施形態に係る移動通信システムの構成について説明する。
【００２９】
図１に示すように、本実施形態に係る移動通信システムは、ＬＴＥ（Ｌｏｎｇ  Ｔｅｒｍ  Ｅｖｏｌｕｔｉｏｎ）方式の移動通信システムである。
【００３０】
かかる移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００３１】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００３２】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００３３】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００３４】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００３５】
図２に示すように、移動局ＵＥは、状態管理部１１と、パラメータ取得部１２と、測定部１３と、判定部１４と、通知部１５とを具備している。
【００３６】
状態管理部１１は、移動局ＵＥがサービングセルと通信を開始してから第１所定期間以上経過しているか否かについて管理するように構成されている。
【００３７】
パラメータ取得部１２は、無線基地局ｅＮＢから、各種パラメータを取得するように構成されている。
【００３８】
測定部１３は、移動局ＵＥのサービングセル及び周辺セルにおける無線品質を測定するように構成されている。
【００３９】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、「ＲＳＲＰ（Ｒｅｆｅｒｅｎｃｅ  Ｓｉｇｎａｌ  Ｒｅｃｅｉｖｅｄ  Ｐｏｗｅｒ）」と呼ばれてもよい。
【００４０】
また、測定部１３は、上述の（式２）及び（式３）によって算出された値を、移動局ＵＥのサービングセル及び周辺セルからの信号の受信電力Ｆｎの測定値としてもよい。例えば、物理レイヤにおける測定間隔は、２００ｍｓである。
【００４１】
判定部１４は、無線基地局ｅＮＢに対して、測定部１３による測定結果（Ｍｅａｓｕｒｅｍｅｎｔ  Ｒｅｐｏｒｔ）を通知すべきか否かについて判定するように構成されている。
【００４２】
例えば、判定部１４は、第２所定期間以上継続して所定条件が満たされている場合に、上述の測定結果を通知すべきであると判定するように構成されていてもよい。ここで、判定部１４は、かかる所定条件を、上述の（式１）の条件としてもよい。
【００４３】
なお、かかるパラメータには、上述の第２所定期間を示すパラメータ（「ＴＴＴ」）や、上述の所定条件を規定するパラメータ（「ヒステリシス」や「ｋ（フィルタ係数）」）等が含まれている。
【００４４】
また、かかるパラメータには、サービングセルと通信を開始してから移動局ＵＥの動作が制限される期間（第１所定期間）を示すパラメータが含まれている。
【００４５】
かかる例からも分かるように、本実施形態に係る移動通信システムでは、移動局ＵＥがサービングセルと通信を開始してから第１所定期間、移動局ＵＥの動作が制限されるように構成されている。
【００４６】
例えば、上述の第２所定期間を示すパラメータの値（２５６［ｍｓ］）は、サービングセルと通信を開始してからの移動局ＵＥの動作が制限される第１所定期間を示すパラメータの値（１０００［ｍｓ］）よりも短くなるように構成されていてもよい。また、その逆でもよい。
【００４７】
以下に、移動局ＵＥがサービングセルと通信を開始してから第１所定期間以上経過した場合にのみ、判定部１４が、測定部１３によって測定されたサービングセル及び周辺セルにおける無線品質、及び、パラメータ取得部１２によって取得されたパラメータに基づいて、測定結果を通知すべきか否かについて判定することの効果について説明する。
【００４８】
ハンドオーバ制御においては、移動局ＵＥが、サービングセル及び周辺セルの無線品質を測定し、その測定結果を用いて、その測定結果を通知するか否かについて判定するが、無線環境の変動に起因した判定の不安定さを解消するために、その判定に用いられる第１所定期間や第２所定期間や所定条件を示すパラメータが用いられる。
【００４９】
しかし、かかる測定結果と共に用いられる第２所定期間は、移動局ＵＥがサービングセルと通信を開始してからの期間である第１所定期間とは独立に設定されるため、例えば、かかる第１所定期間の値が小さい場合、サービングセルと周辺セルとの境界付近に位置する移動局ＵＥは、サービングセルと通信を開始してから極めて短期間で、測定結果を通知し、周辺セルへハンドオーバしてしまう。
【００５０】
特に、セル境界付近に一定の期間位置する移動局ＵＥにとっては、近接セル間でハンドオーバを繰り返すことになってしまい、移動局ＵＥにとっても、無線基地局ｅＮＢにとっても、制御負荷が増えてしまうことになる。
【００５１】
一方で、上述の第１所定期間の値が大きい場合、上述したような、近接セル間にてハンドオーバを繰り返すといった問題を回避することが可能となるが、逆に、高速移動時にハンドオーバが遅れることになり、結果として、通信品質が劣化してしまうという問題が生じる。
【００５２】
よって、上述したように、移動局ＵＥがサービングセルと通信を開始してから第１所定期間以上経過した場合にのみ、移動局ＵＥは、測定結果を通知すべきか否かについて判定することで、特に、セル境界付近に一定期間位置する移動局ＵＥは、適切にハンドオーバ制御を行うことが可能となる。
【００５３】
この場合、かかる第１所定期間の値を、高速移動時に合わせて小さい値を設定することにより、高速移動時の通信品質の劣化を防ぎつつ、かつ、上述したセル境界付近でハンドオーバを繰り返すといった問題も回避することが可能となる。
【００５４】
なお、上述の第１所定期間及び第２所定期間については、移動局ＵＥによって予め、自律的に、すなわち、固定的なパラメータとして保有されていてもいいし、無線基地局ｅＮＢから通知されてもよい。
【００５５】
また、測定部１３が、移動局ＵＥがサービングセルと通信を開始してから第３所定期間以上経過した場合に、移動局ＵＥのサービングセル及び周辺セルにおける無線品質の測定を開始すべきであると判定するように構成されていてもよい。ここで、第３所定期間は、上述の第１所定期間と同一であってもよいし、上述の第１所定期間と異なっていてもよい。
【００５６】
通知部１５は、判定部１４によって測定結果を送信すべきであると判定された場合、かかる測定結果を無線基地局ｅＮＢに対して通知するように構成されている。
【００５７】
具体的には、通知部１５は、物理上り共有チャネルＰＵＳＣＨを介して、かかる測定結果を無線基地局ｅＮＢに対して通知するように構成されている。かかる測定結果は、「Ｍｅａｓｕｒｅｍｅｎｔ  Ｒｅｐｏｒｔ」と呼ばれてもよい。
【００５８】
図３に示すように、無線基地局ｅＮＢは、パラメータ通知部２１と、判定部２２とを具備している。
【００５９】
パラメータ通知部２１は、移動局ＵＥに対して、上述の所定区間を示すパラメータや、上述の第２所定期間を示す第１パラメータや、上述の第３所定期間を示す第２パラメータを通知するように構成されている。
【００６０】
具体的には、パラメータ通知部２１は、物理下り共有チャネルＰＤＳＣＨを介して、移動局ＵＥに対して、上述のパラメータや第１パラメータや第２パラメータを通知するように構成されている。
【００６１】
なお、上述のパラメータや第１パラメータや第２パラメータは、報知情報として移動局ＵＥに対して通知されてもよいし、個別の制御情報である「ＲＲＣ  Ｍｅｓｓａｇｅ」として移動局ＵＥに対して通知されてもよい。
【００６２】
判定部２２は、移動局ＵＥによって通知された移動局ＵＥのサービングセル及び周辺セルにおける無線品質の測定結果に基づいて、移動局ＵＥがハンドオーバすべきであるか否かについて判定するように構成されている。
【００６３】
なお、判定部２２は、移動局ＵＥがサービングセルと通信を開始してから第４所定期間経過している場合にのみ、移動局ＵＥがハンドオーバすべきであるか否かについて判定するように構成されていてもよい。
【００６４】
（本発明の第１の実施形態に係る移動通信システムの動作）
図４を参照して、本発明の第１の実施形態に係る移動通信システムの動作について、具体的には、本発明の第１の実施形態に係る移動局ＵＥが上述の測定結果を通知する動作について説明する。
【００６５】
図４に示すように、ステップＳ１０１において、移動局ＵＥは、サービングセル及び周辺セルの無線品質を測定する。
【００６６】
移動局ＵＥは、ステップＳ１０２において、かかる測定結果が所定条件を満たしているか否かを判定し、かかる測定結果が所定条件を満たしていると判定した場合、ステップＳ１０３において、サービングセルと通信を開始してから第１所定期間以上経過しているか否かについて判定する。
【００６７】
移動局ＵＥがサービングセルと通信を開始してから第１所定期間以上経過していると判定された場合、ステップＳ１０４において、移動局ＵＥは、無線基地局ｅＮＢに対して、かかる測定結果を通知する。
【００６８】
例えば、移動局ＵＥは、第２所定期間「０．２５６［ｓ］」の間継続して下記（式４）乃至（式６）が満たされていて、かつ、移動局ＵＥがサービングセルと通信を開始してから第１所定期間以上経過していると判定する場合、上述の測定結果について無線基地局ｅＮＢに対して通知すべきであると判定する。
【００６９】
隣接セルからの信号の受信電力Ｆｎ＋２［ｄＢ］＞サービングセルからの信号の受信電力  …  （式４）
Ｆｎ＝（１−ａ）・Ｆｎ−１＋ａ・Ｍｎ  …  （式５）
ａ＝１／２  …  （式６）
ステップＳ１０３において、移動局ＵＥがサービングセルと通信を開始してから第１所定期間以上経過していないと判定された場合、ステップＳ１０５において、移動局ＵＥは、上述の測定結果について無線基地局ｅＮＢに対して通知すべきではないと判定する。
【００７０】
また、上述した第１の実施形態に係る移動通信システムにおいては、サービングセル及び周辺セルにおける無線品質として、参照信号の受信電力（ＲＳＲＰ）が用いられたが、代わりに、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）やＲＳ-ＳＩＲやＣＱＩが用いられてもよい。或いは、サービングセル及び周辺セルにおける無線品質として、ＲＳＲＰやＲＳＲＱやＲＳ-ＳＩＲやＣＱＩの少なくとも１つが用いられてもよい。
【００７１】
なお、ＲＳＲＱとは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【００７２】
ここで、ＲＳＳＩとは、移動局において観測されるトータルの受信レベルであり、熱雑音や他セルからの干渉電力や自セルからの希望信号の電力等の全てを含んだ受信レベルのことである（ＲＳＲＱの定義については、３ＧＰＰ  ＴＳ３６.２１４、Ｖ８.３.０を参照のこと）。
【００７３】
また、ＲＳ-ＳＩＲとは、下りリンクの参照信号のＳＩＲ（Ｓｉｇｎａｌ-ｔｏ-Ｉｎｔｅｒｆｅｒｅｎｃｅ  Ｒａｔｉｏ）である。
【００７４】
また、ＣＱＩ（Ｃｈａｎｎｅｌ  Ｑｕａｌｉｔｙ  Ｉｎｄｉｃａｔｏｒ）とは、下りリンクの無線品質情報である（ＣＱＩの定義については、３ＧＰＰ  ＴＳ３６.２１３、Ｖ８.３.０を参照のこと）。
【００７５】
また、本実施形態に係る移動通信システムは、ＬＴＥ方式の移動通信システムを用いて説明したが、ＨＳＤＰＡ方式、ＨＳＵＰＡ方式、ＬＴＥ-Ａｄｖａｎｃｅｄ方式、ＷｉＭＡＸ等のその他移動通信システムにおいても同様に適用されてもよい。
【００７６】
（本発明の第１の実施形態に係る移動通信システムの作用・効果）
本発明の第１の実施形態に係る移動通信システムによれば、移動局ＵＥがサービングセルと通信を開始してからの期間に応じて、測定結果を無線基地局ｅＮＢに通知するか否かを判定することができるため、移動局ＵＥが、適切なタイミングでネットワークに対して測定結果を報告し、いたずらにハンドオーバ制御を増やすことなく、通信断を起こすことなく通信を継続することができ、ネットワークにおける負荷や移動局ＵＥの消費電流の抑制、更にはユーザ利便性を向上することができる。
【００７７】
（変更例１）
上述した第１の実施形態に係る移動通信システムにおいては、移動局ＵＥは、上述の第１所定期間を用いて、上述の測定結果を通知するか否かについて判定しているが、本変更例１に係る移動通信システムでは、移動局ＵＥは、第３所定期間を用いて、上述の測定を実施するか否かについて判定してもよい。
【００７８】
図５に示すように、移動局ＵＥは、ステップＳ２０１において、サービングセルと通信を開始してから第３所定期間以上経過しているか否かについて判定し、サービングセルと通信を開始してから第３所定期間以上経過していると判定した場合、ステップＳ２０２において、移動局ＵＥは、サービングセル及び周辺セルの無線品質を測定する。
【００７９】
移動局ＵＥは、ステップＳ２０３において、かかる測定結果が所定条件を満たしているか否かを判定し、かかる測定結果が所定条件を満たしていると判定した場合、ステップＳ２０４において、無線基地局ｅＮＢに対して、かかる測定結果を通知する。
【００８０】
一方、移動局ＵＥは、ステップＳ２０３において、かかる測定結果が所定条件を満たしていないと判定した場合、ステップＳ２０４において、移動局ＵＥは、上述の測定結果について無線基地局ｅＮＢに対して通知すべきではないと判定する。
【００８１】
（変更例２）
また、変更例２に係る移動通信システムにおいて、測定結果の通知を受けた無線基地局ｅＮＢは、移動局ＵＥがサービングセルと通信を開始してから第４所定期間以上経過している場合にのみ、移動局ＵＥがハンドオーバすべきであるか否かについて判定するように構成されていてもよい。
【００８２】
図６に示すように、無線基地局ｅＮＢは、ステップＳ３０１において、移動局ＵＥから測定結果を受信し、ステップＳ３０２において、移動局ＵＥがと通信を開始してから第４所定期間以上経過しているか否かについて判定する。
【００８３】
無線基地局ｅＮＢは、ステップＳ３０２において、移動局ＵＥがと通信を開始してから第４所定期間以上経過していると判定した場合、ステップＳ３０３において、かかる測定結果が所定条件を満たしているか否かを判定し、かかる測定結果が所定条件を満たしていると判定した場合、ステップＳ３０４において、移動局ＵＥがハンドオーバすべきであると決定する。
【００８４】
一方、無線基地局ｅＮＢは、ステップＳ３０２において、移動局ＵＥがと通信を開始してから第４所定期間以上経過していないと判定した場合、本動作は、ステップＳ３０５に進む。
【００８５】
また、無線基地局ｅＮＢは、ステップＳ３０３において、かかる測定結果が所定条件を満たしていないと判定した場合、本動作は、ステップＳ３０５に進む。
【００８６】
ステップＳ３０５において、無線基地局ｅＮＢは、移動局ＵＥがハンドオーバすべきではないと決定する。
【００８７】
以上に述べた本実施形態の特徴は、以下のように表現されていてもよい。
【００８８】
本実施形態の第１の特徴は、無線基地局ｅＮＢと通信する移動局ＵＥであって、無線基地局ｅＮＢから、パラメータを取得するように構成されているパラメータ取得部１２と、移動局ＵＥのサービングセル及び周辺セルにおける無線品質を測定するように構成されている測定部１３と、測定部１３によって測定されたサービングセル及び周辺セルにおける無線品質、及び、パラメータ取得部１２によって取得されたパラメータに基づいて、測定結果を通知すべきか否かについて判定するように構成されている判定部１４と、判定部１４によって測定結果を送信すべきであると判定された場合、かかる測定結果を無線基地局ｅＮＢに対して通知するように構成されている通知部１５とを具備し、移動局ＵＥがサービングセルと通信を開始してから第１所定期間以上経過した場合にのみ、判定部１４は、測定結果を通知すべきか否かについて判定するように構成されていることを要旨とする。
【００８９】
本実施形態の第１の特徴において、判定部１４は、移動局ＵＥがサービングセルと通信を開始してから第１所定期間以上経過した場合で、かつ、第２所定期間以上継続して所定条件が満たされている場合にのみ、測定結果を通知すべきであると判定するように構成されており、パラメータ取得部１２は、パラメータとして、第２所定期間を示す第１パラメータを取得するように構成されていてもよい。
【００９０】
本実施形態の第１の特徴において測定部１３は、移動局ＵＥがサービングセルと通信を開始してから第３所定期間以上経過した場合に、移動局ＵＥのサービングセル及び周辺セルにおける無線品質の測定を開始すべきであると判定するように構成されており、パラメータ取得部１２は、パラメータとして、第３所定期間を示す第２パラメータを取得するように構成されていてもよい。
【００９１】
本実施形態の第２の特徴は、移動局ＵＥと通信する無線基地局ｅＮＢであって、移動局ＵＥに対して、移動局ＵＥによって通知された移動局ＵＥのサービングセル及び周辺セルにおける無線品質の測定結果に基づいて、移動局ＵＥがハンドオーバすべきであるか否かについて判定するように構成されている判定部２２とを具備し、判定部２２は、移動局ＵＥがサービングセルと通信を開始してから第４所定期間以上経過している場合にのみ、移動局ＵＥがハンドオーバすべきであるか否かについて判定するように構成されていることを要旨とする。
【００９２】
本実施形態の第３の特徴は、無線基地局ｅＮＢと移動局ＵＥとが通信するように構成されている移動通信システムであって、移動局ＵＥは、無線基地局ｅＮＢから、パラメータを取得するように構成されているパラメータ取得部１２と、移動局ＵＥのサービングセル及び周辺セルにおける無線品質を測定するように構成されている測定部１３と、測定部１３によって測定されたサービングセル及び周辺セルにおける無線品質、及び、パラメータ取得部１２によって取得されたパラメータに基づいて、測定結果を通知すべきか否かについて判定するように構成されている判定部１４と、判定部１４によって測定結果を送信すべきであると判定された場合、かかる測定結果を無線基地局ｅＮＢに対して通知するように構成されている通知部１５とを具備し、無線基地局ｅＮＢは、移動局ＵＥに対して、パラメータを通知するように構成されているパラメータ通知部２１と、移動局ＵＥによって通知された移動局ＵＥのサービングセル及び周辺セルにおける無線品質の測定結果に基づいて、移動局ＵＥがハンドオーバすべきであるか否かについて判定するように構成されている判定部２２とを具備しており、移動局ＵＥがサービングセルと通信を開始してから第１所定期間以上経過した場合にのみ、移動局ＵＥの判定部１４は、測定結果を通知すべきか否かについて判定するように構成されていることを要旨とする。
【００９３】
本実施形態の第３の特徴において、移動局ＵＥの判定部１４は、移動局ＵＥがサービングセルと通信を開始してから第１所定期間以上経過した場合で、かつ、第２所定期間以上継続して所定条件が満たされている場合にのみ、測定結果を通知すべきであると判定するように構成されており、パラメータ取得部１２は、パラメータとして、第２所定期間を示す第１パラメータを取得するように構成されていてもよい。
【００９４】
本実施形態の第３の特徴において、測定部１３は、移動局ＵＥがサービングセルと通信を開始してから第３所定期間以上経過した場合に、移動局ＵＥのサービングセル及び周辺セルにおける無線品質の測定を開始すべきであると判定するように構成されており、パラメータ取得部１２は、パラメータとして、第３所定期間を示す第２パラメータを取得するように構成されていてもよい。
【００９５】
本実施形態の第３の特徴において、無線基地局ｅＮＢの判定部２２は、移動局ＵＥがサービングセルと通信を開始してから第４所定期間以上経過している場合にのみ、移動局ＵＥがハンドオーバすべきであるか否かについて判定するように構成されていてもよい。
【００９６】
本実施形態の第３の特徴において、無線基地局ｅＮＢの判定部２２は、移動局ＵＥがサービングセルと通信を開始してから第４所定期間以上経過している場合にのみ、移動局ＵＥがハンドオーバすべきであるか否かについて判定するように構成されていてもよい。
【００９７】
本実施形態の第４の特徴は、無線基地局ｅＮＢと移動局ＵＥとの間で通信する移動通信方法であって、無線基地局ｅＮＢが、移動局ＵＥに対して、パラメータを通知する工程Ａと、移動局ＵＥが、移動局ＵＥのサービングセル及び周辺セルにおける無線品質を測定する工程Ｂと、移動局ＵＥが、工程Ｂにおいて測定されたサービングセル及び周辺セルにおける無線品質、及び、工程Ａにおいて通知されたパラメータに基づいて、測定結果を通知すべきか否かについて判定する工程Ｃと、移動局ＵＥが、測定結果を送信すべきであると判定された場合、測定結果を無線基地局ｅＮＢに対して通知する工程Ｄとを有し、工程Ｃにおいて、移動局ＵＥは、移動局ＵＥがサービングセルと通信を開始してから第１所定期間以上経過した場合にのみ、測定結果を通知すべきか否かについて判定することを要旨とする。
【００９８】
本実施形態の第４の特徴において、無線基地局ｅＮＢが、移動局ＵＥによって通知された移動局ＵＥのサービングセル及び周辺セルにおける無線品質の測定結果に基づいて、移動局ＵＥがハンドオーバすべきであるか否かについて判定する工程Ｅを有し、工程Ｅにおいて、無線基地局ｅＮＢは、移動局ＵＥが前記無線基地局配下のセルにハンドオーバをしてきてから第４所定期間が経過している場合にのみ、移動局ＵＥがハンドオーバすべきであるか否かについて判定してもよい。
【００９９】
本実施形態の第４の特徴において、無線基地局ｅＮＢが、移動局ＵＥによって通知された移動局ＵＥのサービングセル及び周辺セルにおける無線品質の測定結果に基づいて、移動局ＵＥがハンドオーバすべきであるか否かについて判定する工程Ｅを更に有し、工程Ｅにおいて、無線基地局ｅＮＢは、移動局ＵＥがサービングセルと通信を開始してから第４所定期間以上経過している場合にのみ、移動局ＵＥがハンドオーバすべきであるか否かについて判定する。
【０１００】
なお、上述した例では、無線基地局ｅＮＢは、移動局ＵＥがサービングセルと通信を開始してから第４所定期間以上経過している場合にのみ、移動局ＵＥがハンドオーバすべきであるか否かについて判定したが、代わりに、工程Ｅにおいて、無線基地局ｅＮＢは、移動局ＵＥがサービングセルと通信を開始してから第１所定期間又は第３所定期間以上経過している場合にのみ、移動局ＵＥがハンドオーバすべきであるか否かについて判定してもよい。
【０１０１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１０４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０５】
ＵＥ…移動局
１１…状態管理部
１２…パラメータ取得部
１３…測定部
１４、２２…判定部
１５…通知部
ｅＮＢ…無線基地局
２１…パラメータ通知部
２２…判定部
【図１】
2011049867.tif 000003
【図２】
2011049867.tif 000004
【図３】
2011049867.tif 000005
【図４】
2011049867.tif 000006
【図５】
2011049867.tif 000007
【図６】
2011049867.tif 000008
【図７】
2011049867.tif 000009
【図８】
2011049867.tif 000010